(57)【要約】  【課題】  フレキシブル基板をベース部材に取り付けるときに、取付用ねじ及び補強板等の取付部材を用いることなく、確実に取付固定することができ、部品点数を減らし、製造、組み立ての手間、時間を減少させ、省エネルギ化、コストダウンを行う。  【解決手段】  ２個の基板押えフック１４１はそれぞれ、図中基板取付部１４の左上部１４Ｌ及び右上部１４Ｒに形成されており、基板外れ防止凸部１４２は中央よりやや下方に、互いに距離Ｌだけ離れて形成されている。ボス１４３は２個の基板押えフック１４１の略中央に配置される微小突起である。【選択図】      図４
2006172551.tif 000002
【特許請求の範囲】
【請求項１】
レーザ光を照射するレーザ光源と、前記レーザ光を反射するミラーと、前記レーザ光を
平行光にするコリメータレンズと、前記レーザ光を光ディスクに照射するための対物レン
ズと、前記光ディスクで反射した光を分光するビームスプリッタと、光を受光し電気信号
に変換する受光素子と、前記対物レンズを駆動するアクチュエータと、アクチュエータを
保持するベースと、前記ベースに取り付けられ、前記レーザ光源及び前記アクチュエータ
の動作を制御するフレキシブル基板とを有しており、
前記アクチュエータは前記対物レンズを保持するレンズホルダと、前記レンズホルダを
内部に配置するケースと、電力供給基板とを有しており、
前記ケースは、底部と、前記底部と垂直に突出する立ち上がり部と、前記底部の略中央
に前記立ち上がり部と同じ方向に突出した円柱状のシャフトと、前記立ち上がり部に前記
シャフトを挟んで配置され前記シャフトとの間に磁界を形成する２個の永久磁石とを有し
ており、
前記レンズホルダは、前記対物レンズを保持するレンズ保持部と、前記レンズ保持部の
略中央に前記シャフトと回動可能且つ摺動可能に外嵌する円筒形状の軸孔と、前記軸孔を
挟んで正対し、前記磁界内に一部が配置されるトラッキングコイルと、前記軸孔を外嵌し
一部が前記磁界内に配置されるフォーカシングコイルと、導電性を有し前記フォーカシン
グコイルの前記レンズ保持部の反対側に配置される磁性板とを有しており、
前記ベースは同じ方向に曲がる屈曲部を有し所定の距離隔てて形成される２個の基板押
えフックと、２個の基板外れ防止凸部と、前記基板押えフックの略中間に形成されるボス
とを有しており、前記フレキシブル基板は前記基板押えフックと係合することができる係
合孔と、前記基板外れ防止凸部と嵌合する貫通孔とを有し、前記フレキシブル基板が取り
付けられるための基板取付部を備えており、
前記フレキシブル基板は前記係合孔に前記基板押えフックを貫通させた状態で、該基板
押えフックの曲がり方向と反対側に摺動させ、前記貫通孔と前記基板外れ防止凸部とを嵌
合することを特徴とする光ヘッド。
【請求項２】
レーザ光を照射するレーザ光源と、前記レーザ光を反射するミラーと、前記レーザ光を
平行光にするコリメータレンズと、前記レーザ光を光ディスクに照射するための対物レン
ズと、前記光ディスクで反射した光を分光するビームスプリッタと、光を受光し電気信号
に変換する受光素子と、前記対物レンズを駆動するアクチュエータと、アクチュエータを
保持するベースと、前記ベースに取り付けられ、前記レーザ光源及び前記アクチュエータ
の動作を制御するフレキシブル基板とを有しており、
前記アクチュエータは前記対物レンズを保持するレンズホルダと、前記レンズホルダを
内部に配置するケースと、電力供給基板とを有しており、
前記ケースは、底部と、前記底部と垂直に突出する立ち上がり部と、前記底部の略中央
に前記立ち上がり部と同じ方向に突出した円柱状のシャフトと、前記立ち上がり部に前記
シャフトを挟んで配置され前記シャフトとの間に磁界を形成する２個の永久磁石とを有し
ており、
前記レンズホルダは、前記対物レンズを保持するレンズ保持部と、前記レンズ保持部の
略中央に前記シャフトと回動可能且つ摺動可能に外嵌する円筒形状の軸孔と、前記軸孔を
挟んで正対し、前記磁界内に一部が配置されるトラッキングコイルと、前記軸孔を外嵌し
一部が前記磁界内に配置されるフォーカシングコイルと、導電性を有し前記フォーカシン
グコイルの前記レンズ保持部の反対側に配置される磁性板とを有しており、
前記ベースは反対方向に曲がる屈曲部を有し所定の距離隔てて形成される２個の基板押
えフックと、２個の基板外れ防止凸部と、前記基板押えフックの略中間に形成されるボス
とを有しており、前記フレキシブル基板は前記基板押えフックと係合することができる係
合孔と、前記基板外れ防止凸部と嵌合する貫通孔とを有し、前記フレキシブル基板が取り
付けられるための基板取付部を備えており、
前記フレキシブル基板は前記係合孔に前記基板押えフックを貫通させた状態で、該基板
押えフックの曲がり方向と反対側に回動させ、前記貫通孔と前記基板外れ防止凸部とを嵌
合することを特徴とする光ヘッド。
【請求項３】
レーザ光を照射するレーザ光源と、対物レンズを駆動するアクチュエータの動作を制御
するフレキシブル基板を光ヘッドのベースに取り付けるものであって、
前記ベースは同じ方向に曲がる屈曲部を有し所定の距離隔てて形成される複数個の基板
押えフックと、複数個の基板外れ防止凸部と、前記基板押えフックの略中間に形成される
少なくとも１個のボスとを有しており、前記フレキシブル基板は前記基板押えフックと係
合することができる係合孔と、前記基板外れ防止凸部と嵌合する貫通孔とを有し、前記フ
レキシブル基板が取り付けられるための基板取付部を備えており、
前記フレキシブル基板は前記係合孔に前記基板押えフックを貫通させた状態で、該基板
押えフックの曲がり方向と反対側に摺動させ、前記貫通孔と前記基板外れ防止凸部とを嵌
合することを特徴とする光ヘッド。
【請求項４】
前記基板押えフックの屈曲部は、前記基板取付部の中央から見て同じ方向に曲がる形状
で形成されており、前記フレキシブル基板は前記気係合孔に前記基板長フックを貫通させ
た状態で、該基板押えフックの曲がり方向と反対側に回動させ、前記貫通孔と前記基板外
れ防止凸部とを嵌合することを特徴とする請求項３に記載の光ヘッド。
【発明の詳細な説明】
【技術分野】
【０００１】
本発明は、光ディスクにレーザ光を照射することでデータの記録及び（又は）読出しを
行う光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図１に光ヘッドの配置図を示す。図１に示す光ヘッドはそれには限定されないがここで
は、光ディスクに記録されているデータを読出す読出し専用の光ヘッドである。図１に示
すようにレーザ光源Ｌｄと、ミラーＭｒと、コリメータレンズ３と、対物レンズ４と、ビ
ームスプリッタＢｓと、受光素子Ｐｄとを有している。レーザ光源Ｌｄより照射されたレ
ーザ光はミラーＭｒで反射されてコリメータレンズ３に入射する。コリメータレンズ３に
入射したレーザ光は平行光として出射され対物レンズ４に入射する。対物レンズ４に入射
したレーザ光は光ディスクＤｓの記録面に照射される。対物レンズ４はアクチュエータ９
２に配置されている。
【０００４】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。光ディスクにデータを記録することので
きる光ヘッドも基本的に同様の構成である。
【０００５】
図８に従来の光ヘッドの平面図を示す。図８に示す光ヘッドＢは、コリメータレンズ３
を保持するベース９１と、対物レンズ４を保持するアクチュエータ９２とを備えている。
ベース９１の側面には光ヘッドＢの動作をディスクトラック方向（ディスク半径方向）に
動作方向を規制するための軸９１０と摺動可能に係合する摺動孔９１１と、摺動孔９１１
に隣接して形成されるラックギア９１２と、ラックギア９１２と歯合するピニオンギア９
１３とを備えている。
【０００６】
ピニオンギア９１３の回動をラックギア９１２に伝えることでベース９１が直線運動す
る。このとき、ベース９１は軸９１０によって摺動方向を規制されているので、ベース９
１は上述のようにディスク半径方向に移動する。光ディスクＤｓを回転させながらベース
９１を移動させつつ、レーザ光を照射することで、光ディスクＤｓの記録層に形成された
らせん状の記録溝にレーザ光を照射することができる。記録溝でのレーザ光の反射度合い
によって光ディスクＤｓに記録されているデータを読み出したり、記録したりすることが
できる。
【０００７】
アクチュエータ９２は対物レンズ４を保持するレンズホルダ９３と、レンズホルダ９３
を支持するケース９４とを有している。ケース９４には底面９４１の略中央部にシャフト
９４２が突出しており、シャフト９４２を挟んで永久磁石９４３が配置されている。レン
ズホルダ９３は対物レンズ４を保持するレンズ保持部９３１と、略中央部にシャフト９４
２と回動可能且つ摺動可能に嵌合する軸孔９３２と、レンズホルダ９３の側面に配置され
るトラッキングコイル９３３と、軸孔９３２の周りに取り回し配置されるフォーカシング
コイル９３４と、フォーカシングコイル９３４の下方に配置される図示を省略した磁性板
とを有している。
【０００８】
トラッキングコイル９３３及びフォーカシングコイル９３４に電力を供給する配線基板
９５を備えている。配線基板９５はケース９４に配置されるメイン基板９５１と、レンズ
ホルダ９３に配置されるサブ基板９５２と、メイン基板９５１とサブ基板９５２とを接続
する配線基板９５３とを備えている。
【０００９】
レンズホルダ９３はシャフト９４２と永久磁石９４３の間に発生する磁界による磁気力
により浮遊支持されている。トラッキングコイル９３３及びフォーカシングコイル９３４
は磁界を横切っており、トラッキングコイル９３３及びフォーカシングコイル９３４に電
流を流すことで、ローレンツ力が発生し、レンズホルダ９３を回動及び（又は）摺動させ
る。
【００１０】
光ディスクＤｓはディスク面のぶれ、光ディスクＤｓの偏心等によって、光ディスクＤ
ｓのディスク面が水平面に対して振動する面ぶれや、半径方向のぶれが発生する。面ぶれ
及び半径方向のブレが発生すると、対物レンズ４から照射されるレーザ光を集光した光ス
ポットの焦点が光ディスクＤｓの記録面上に合わなかったり、記録面のトラックに正確に
照射されない等の不具合が発生する。以上のような不具合が発生すると、光スポットが正
確な位置に照射されていないときは光ディスクＤｓからのデータの読出し又は光ディスク
Ｄｓへの記録が行われず、再生中の音声が途切れたり、データの読出し、記録ミスが発生
したりする。
【００１１】
そこで、レンズホルダ９３を光スポットの焦点が光ディスクＤｓの記録面に合うように
光ディスクＤｓの記録面に対して垂直なフォーカス方向に移動（フォーカシング）させた
り、光ディスクＤｓの光スポットが記録面のトラックに正確に照射されるように半径方向
であるトラッキング方向に必要に応じて移動（トラッキング）させたりする。光ヘッドＢ
は、メイン基板９５１、サブ基板９５２及び配線基板９５３を介して、トラッキングコイ
ル９３３及びフォーカシングコイル９３４に適当な電力を供給したり、レーザ光源Ｌｄの
動作を制御したり、受光素子Ｐｄで変換した電気信号を扱うフレキシブル基板９６を備え
ている。フレキシブル基板９６は薄く、弾性変形可能な基板である。フレキシブル基板９
６はベース９１の基板取付部９１５にねじ９１６で締付固定されている（特開平5-282693
号公報等参照）。
【００１２】
フレキシブル基板９６のベース９１への取り付けて順は次のとおりである。フレキシブ
ル基板９６をベース９１に予め決められている基板取付部９１５に配置し、ベース９１に
形成されている雌ねじ孔と、フレキシブル基板９６のねじ孔が一致するように位置決めし
、その状態を保持したままねじ９１６を螺合する。このように、ねじ止めにてフレキシブ
ル基板９６を取り付ける場合、位置決め、保持、ねじ止め等多くの工程が必要であり、そ
れだけ製造に時間がかかる。また、ねじ９１６を用いるのでそれだけ部品点数が多くなる
。さらに、ねじ９１６を締め付けるための工具（電動ドライバ等）が必要であり、製造設
備も大きくなる。
【００１３】
そこで、特開平8-124200号公報に記載の発明は補強板が取り付けられた回路基板をスラ
イドベースに取り付けるものであり、前記補強板に互いに対向して備えられた係合部（か
ぎ形フック部、切欠部）と前記スライドベースに前記補強板に設けられた係合部に係合し
得る係合部（ダボ、フック部）が形成されており、前記補強板の係合部及前記びスライド
ベースの係合部のうち少なくとも１組の係合部が弾性的に係合する構造を示している。
【００１４】
また、ベース９１の基板取付部９１５に直接プリント配線を形成するものも、考えられ
る。
【特許文献１】特開平８−１２４２００号公報
【特許文献２】特開平５−２８２６９３号公報
【発明の開示】
【発明が解決しようとする課題】
【００１５】
しかしながら、特開平8-124200号公報に記載の発明はフレキシブルプリント配線基板の
背面に所定の強度を備えた補強板を備えているので、補強板が別途必要であり構成部品点
数が多くなる。また、補強板をフレキシブルプリント配線基板の背面に接着固定しなくて
はならず、製造工程が増え、製造に時間と手間がかかりコストがアップする。
【００１６】
補強板が取り付けられないものを同様に取り付ける場合、フレキシブルプリント配線基
板は十分な強度を有しておらず変形しやすいので、係合が外れて脱落したり、フレキシブ
ルプリント配線基板の基板平面方向や基板平面に垂直な方向にがたが発生する。
【００１７】
また、ベース９１の基板取付部９１５にプリント配線を形成するものの場合、基板取り
付け用の部材（ねじ、ピン等）は不要であり、がたはないが、プリント配線を形成する作
業が複雑化する。また、光ヘッドＢの制御パターンの変更等による配線パターンの変更が
必要なときは、予め基板取付部９１５に形成されているプリント配線を取り除いて、形成
しなおさなくてはならず手間、時間ともに多くかかる。
【００１８】
そこで本発明は、フォーカシングコイル及びトラッキングコイルに供給する電力等を制
御するフレキシブル基板をベース部材に取り付けるときに、取付用ねじ及び補強板等の取
付部材を用いることなく、確実に取付固定することができるので、部品点数を減らすこと
ができ、製造、組み立ての手間、時間を減少させることができる光ヘッドを提供すること
ができる。また、省エネルギ化、コストダウンを行うことができる光ヘッドを提供するこ
とを目的とする。
【課題を解決するための手段】
【００１９】
上記目的を達成するために本発明は、レーザ光を照射するレーザ光源と、前記レーザ光
を反射するミラーと、前記レーザ光を平行光にするコリメータレンズと、前記レーザ光を
光ディスクに照射するための対物レンズと、前記光ディスクで反射した光を分光するビー
ムスプリッタと、光を受光し電気信号に変換する受光素子と、前記対物レンズを駆動する
アクチュエータと、アクチュエータを保持するベースと、前記ベースに取り付けられ、前
記レーザ光源及び前記アクチュエータの動作を制御するフレキシブル基板とを有しており
、前記アクチュエータは前記対物レンズを保持するレンズホルダと、前記レンズホルダを
内部に配置するケースと、電力供給基板とを有しており、前記ケースは、底部と、前記底
部と垂直に突出する立ち上がり部と、前記底部の略中央に前記立ち上がり部と同じ方向に
突出した円柱状のシャフトと、前記立ち上がり部に前記シャフトを挟んで配置され前記シ
ャフトとの間に磁界を形成する２個の永久磁石とを有しており、前記レンズホルダは、前
記対物レンズを保持するレンズ保持部と、前記レンズ保持部の略中央に前記シャフトと回
動可能且つ摺動可能に外嵌する円筒形状の軸孔と、前記軸孔を挟んで正対し、前記磁界内
に一部が配置されるトラッキングコイルと、前記軸孔を外嵌し一部が前記磁界内に配置さ
れるフォーカシングコイルと、導電性を有し前記フォーカシングコイルの前記レンズ保持
部の反対側に配置される磁性板とを有しており、前記ベースは同じ方向に曲がる屈曲部を
有し所定の距離隔てて形成される２個の基板押えフックと、２個の基板外れ防止凸部と、
前記基板押えフックの略中間に形成されるボスとを有しており、前記フレキシブル基板は
前記基板押えフックと係合することができる係合孔と、前記基板外れ防止凸部と嵌合する
貫通孔とを有し、前記フレキシブル基板が取り付けられるための基板取付部を備えており
、前記フレキシブル基板は前記係合孔に前記基板押えフックを貫通させた状態で、該基板
押えフックの曲がり方向と反対側に摺動させ、前記貫通孔と前記基板外れ防止凸部とを嵌
合することを特徴とする光ヘッドを提供する。
【００２０】
この構成によると、前記フレキシブル基板を前記ベースの基板取付部に取り付けるとき
に、ねじ、ピン等の固定部材を用いることなく、取り付けることができる。また、前記ね
じ、ピンを取り付ける手間、時間を省略することができるとともに、前記レンズホルダを
軽量化することができる。
【００２１】
このことにより、構成部品を減らすことができ、それだけ、製造、組立コストを低減す
ることが可能である。また軽量化することで少ない電力で光ヘッドを前記光ディスクのト
ラック方向に摺動させることができ、それだけ省エネルギ化、低コスト化することが可能
である。
【００２２】
さらに、この構成によると、前記フレキシブル基板を前記ボスが前記基板取付部から遠
ざかる方向に押し、前記基板押えフックの屈曲部にて前記基板取付部に向けて付勢されて
おり、該フレキシブル基板は曲がって取り付けられている。前記ボス及び前記基板押えフ
ックにて押されることで、前記フレキシブル基板は前記基板取付部に垂直な方向にがたが
発生しにくくなる。
【００２３】
また、前記フレキシブル基板は摺動させることで、前記貫通孔を前記基板外れ防止凸部
が貫通するように形成されているので、前記基板取付部に沿う方向のがたも発生しにくい
。がたの発生によって、前記フレキシブル基板が前記基板取付部より脱落したり、前記フ
レキシブル基板と前記基板取付部の間に異物が挟まったり等して、前記レーザ光源を誤動
作させたり、前記トラッキングコイル及び前記フォーカシングコイルを誤作動させたり等
の不具合の発生を抑制することが可能である。
【００２４】
上記目的を達成するために本発明は、レーザ光を照射するレーザ光源と、前記レーザ光
を反射するミラーと、前記レーザ光を平行光にするコリメータレンズと、前記レーザ光を
光ディスクに照射するための対物レンズと、前記光ディスクで反射した光を分光するビー
ムスプリッタと、光を受光し電気信号に変換する受光素子と、前記対物レンズを駆動する
アクチュエータと、アクチュエータを保持するベースと、前記ベースに取り付けられ、前
記レーザ光源及び前記アクチュエータの動作を制御するフレキシブル基板とを有しており
、前記アクチュエータは前記対物レンズを保持するレンズホルダと、前記レンズホルダを
内部に配置するケースと、電力供給基板とを有しており、前記ケースは、底部と、前記底
部と垂直に突出する立ち上がり部と、前記底部の略中央に前記立ち上がり部と同じ方向に
突出した円柱状のシャフトと、前記立ち上がり部に前記シャフトを挟んで配置され前記シ
ャフトとの間に磁界を形成する２個の永久磁石とを有しており、前記レンズホルダは、前
記対物レンズを保持するレンズ保持部と、前記レンズ保持部の略中央に前記シャフトと回
動可能且つ摺動可能に外嵌する円筒形状の軸孔と、前記軸孔を挟んで正対し、前記磁界内
に一部が配置されるトラッキングコイルと、前記軸孔を外嵌し一部が前記磁界内に配置さ
れるフォーカシングコイルと、導電性を有し前記フォーカシングコイルの前記レンズ保持
部の反対側に配置される磁性板とを有しており、前記ベースは反対方向に曲がる屈曲部を
有し所定の距離隔てて形成される２個の基板押えフックと、２個の基板外れ防止凸部と、
前記基板押えフックの略中間に形成されるボスとを有しており、前記フレキシブル基板は
前記基板押えフックと係合することができる係合孔と、前記基板外れ防止凸部と嵌合する
貫通孔とを有し、前記フレキシブル基板が取り付けられるための基板取付部を備えており
、前記フレキシブル基板は前記係合孔に前記基板押えフックを貫通させた状態で、該基板
押えフックの曲がり方向と反対側に回動させ、前記貫通孔と前記基板外れ防止凸部とを嵌
合することを特徴とする光ヘッドを提供する。
【００２５】
この構成によると、前記フレキシブル基板を前記ベースの基板取付部に取り付けるとき
に、ねじ、ピン等の固定部材を用いることなく、取り付けることができる。また、前記ね
じ、ピンを取り付ける手間、時間を省略することができるとともに、前記レンズホルダを
軽量化することができる。
【００２６】
このことにより、構成部品を減らすことができ、それだけ、製造、組立コストを低減す
ることが可能である。また軽量化することで少ない電力で光ヘッドを前記光ディスクのト
ラック方向に摺動させることができ、それだけ省エネルギ化、低コスト化することが可能
である。
【００２７】
さらに、この構成によると、前記フレキシブル基板を前記ボスが前記基板取付部から遠
ざかる方向に押し、前記基板押えフックの屈曲部にて前記基板取付部に向けて付勢されて
おり、該フレキシブル基板は曲がって取り付けられている。前記ボス及び前記基板押えフ
ックにて押されることで、前記フレキシブル基板は前記基板取付部に垂直な方向にがたが
発生しにくくなる。
【００２８】
また、前記フレキシブル基板は回動させることで、前記貫通孔を前記基板外れ防止凸部
が貫通するように形成されているので、前記基板取付部に沿う方向のがたも発生しにくい
。がたの発生によって、前記フレキシブル基板が前記基板取付部より脱落したり、前記フ
レキシブル基板と前記基板取付部の間に異物が挟まったり等して、前記レーザ光源を誤動
作させたり、前記トラッキングコイル及び前記フォーカシングコイルを誤作動させたり等
の不具合の発生を抑制することが可能である。
【００２９】
上記目的を達成するために本発明は、レーザ光を照射するレーザ光源と、対物レンズを
駆動するアクチュエータの動作を制御するフレキシブル基板を光ヘッドのベースに取り付
けるものであって、前記ベースは同じ方向に曲がる屈曲部を有し所定の距離隔てて形成さ
れる複数個の基板押えフックと、複数個の基板外れ防止凸部と、前記基板押えフックの略
中間に形成される少なくとも１個のボスとを有しており、前記フレキシブル基板は前記基
板押えフックと係合することができる係合孔と、前記基板外れ防止凸部と嵌合する貫通孔
とを有し、前記フレキシブル基板が取り付けられるための基板取付部を備えており、前記
フレキシブル基板は前記係合孔に前記基板押えフックを貫通させた状態で、該基板押えフ
ックの曲がり方向と反対側に摺動させ、前記貫通孔と前記基板外れ防止凸部とを嵌合する
ことを特徴とする光ヘッドを提供する。
【００３０】
この構成によると、前記フレキシブル基板を前記ベースの基板取付部に取り付けるとき
に、ねじ、ピン等の固定部材を用いることなく、取り付けることができる。また、前記ね
じ、ピンを取り付ける手間、時間を省略することができるとともに、前記レンズホルダを
軽量化することができる。
【００３１】
このことにより、構成部品を減らすことができ、それだけ、製造、組立コストを低減す
ることが可能である。また軽量化することで少ない電力で光ヘッドを前記光ディスクのト
ラック方向に摺動させることができ、それだけ省エネルギ化、低コスト化することが可能
である。
【００３２】
さらに、この構成によると、前記フレキシブル基板を前記ボスが前記基板取付部から遠
ざかる方向に押し、前記基板押えフックの屈曲部にて前記基板取付部に向けて付勢されて
おり、該フレキシブル基板は曲がって取り付けられている。前記ボス及び前記基板押えフ
ックにて押されることで、前記フレキシブル基板は前記基板取付部に垂直な方向にがたが
発生しにくくなる。
【００３３】
また、前記フレキシブル基板は摺動させることで、前記貫通孔を前記基板外れ防止凸部
が貫通するように形成されているので、前記基板取付部に沿う方向のがたも発生しにくい
。がたの発生によって、前記フレキシブル基板が前記基板取付部より脱落したり、前記フ
レキシブル基板と前記基板取付部の間に異物が挟まったり等して、前記レーザ光源を誤動
作させたり、前記トラッキングコイル及び前記フォーカシングコイルを誤作動させたり等
の不具合の発生を抑制することが可能である。
【００３４】
上記構成において、前記基板押えフックの屈曲部は、前記基板取付部の中央から見て同
じ方向に曲がる形状で形成されており、前記フレキシブル基板は前記気係合孔に前記基板
長フックを貫通させた状態で、該基板押えフックの曲がり方向と反対側に回動させ、前記
貫通孔と前記基板外れ防止凸部とを嵌合するものであってもよい。
【発明の効果】
【００３５】
本発明によると、フォーカシングコイル及びトラッキングコイルに供給する電力等を制
御するフレキシブル基板をベース部材に取り付けるときに、取付用ねじ及び補強板等の取
付部材を用いることなく、確実に取付固定することができるので、部品点数を減らすこと
ができ、製造、組み立ての手間、時間を減少させることができる光ヘッドを提供する。ま
た、それだけ、省エネルギ化、コストダウンを行うことができる光ヘッドを提供すること
ができる。
【発明を実施するための最良の形態】
【００３６】
以下に本発明の実施形態を図面を参照して説明する。図１に本発明にかかる光ヘッドの
一例の配置図を示す。図１に示す光ヘッドＡは、従来と実質上同一の構造を有している。
すなわち、レーザ光源Ｌｄと、ミラーＭｒと、コリメータレンズ３と、対物レンズ４と、
ビームスプリッタＢｓと、受光素子Ｐｄとを有している。レーザ光源Ｌｄより照射された
レーザ光はミラーＭｒで反射され、コリメータレンズ３に入射し、平行光に変化してコリ
メータレンズ３より出射する。コリメータレンズ３より出射したレーザ光は対物レンズ４
に入射し対物レンズ４より光ディスクＤｓに照射される。
【００３７】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。上述の各部材へのレーザ光の照射順序は
これに限定されるものではなく、可能な範囲で順序が入れ替わっているものであっても良
い。
【００３８】
図２に本発明に係る光ヘッドの平面図を、図３に図２に示す光ヘッドの正面図を示す。
図２、図３に示すように光ヘッドＡはコリメータレンズ３を支持するベース１と、対物レ
ンズ４を駆動するためのアクチュエータ２とを備えている。ベース１の側面には光ヘッド
Ａのディスクトラック方向（ディスク半径方向）への動作を規制するための軸１０が摺動
可能に貫通する摺動孔１１と、摺動孔１１に隣接して形成されるラックギア１２と、ラッ
クギア１２と歯合し回転すること光ヘッドＡを直線移動させるためのピニオンギア１３と
、後述するフレキシブル基板５を取り付けるための基板取付部１４とを備えている。
【００３９】
ベース１にはレーザ光源Ｌｄ、アクチュエータ２のトラッキングコイル２１３及びフォ
ーカシングコイル２１５等の電動物品の駆動信号（駆動電力）を制御したり、受光素子Ｐ
ｄで受信した光を変換した電気信号を扱うフレキシブル基板５が取り付けられている。フ
レキシブル基板５はそれには限定されないが、ＦＰＣ等の可撓性を有する配線基板であり
、ベース１の基板取付部１４に取り付けられている。
【００４０】
アクチュエータ２はベース１にボルト留めにて固定される。アクチュエータ２は、対物
レンズ４を保持するためのレンズホルダ２１と、内部にレンズホルダ２１を配置するケー
ス２２と、レンズホルダ２１に設けられた後述するトラッキングコイル２１３及びフォー
カシングコイル２１４にそれぞれ独立して電力を供給する配線基板２３とを有している。
【００４１】
ケース２２は平面視矩形状を有しており、底部２２１と、底部２２１の周囲から底部２
２１と垂直に立ち上がる立ち上がり部２２２と、底部２２１の略中央部に立ち上がり部２
２２と同じ方向に突出する円柱状のシャフト２２３と、立ち上がり部２２２に配置され、
シャフト２２３を挟んで対向して配置される２個の永久磁石２２４とを有している。シャ
フト２２３は磁性体で形成されており、永久磁石２２４とシャフト２２３の間には磁界が
形成されている。永久磁石２２４の磁界はそれには限定されないが、いずれの磁界も磁力
線の向きが永久磁石２２４からシャフト２２３に向かっている。底部２２１にはレーザ光
が通過するための貫通した光通過孔２２０が形成されている。
【００４２】
レンズホルダ２１は、対物レンズ４を保持するためのレンズ保持部２１１と、レンズ保
持部２１１の略中央に形成され、シャフト２２３と摺動可能且つ回動可能に外嵌する軸孔
２１２と、レンズ保持部２１１の側面に軸孔２１２を挟んで対面して配置されるトラッキ
ングコイル２１３と、軸孔２１２を取り囲むように配置されるフォーカシングコイル２１
４と、フォーカシングコイル２１４の下面に軸孔２１２の中心軸と直行するように配置さ
れる磁性板２１５とを有している。
【００４３】
軸孔２１２はシャフト２２３を外嵌するように配置される。このとき、ケース２２の永
久磁石２２４とシャフト２２３の間には磁界が発生しており、その磁界に磁性板２１６が
配置されることで磁性板２１５に磁気力が付与する。この磁気力によってレンズホルダ２
１は底部２２１と接触することなく浮上した状態で支持される。
【００４４】
トラッキングコイル２１３及びフォーカシングコイル２１４には配線基板２３より電力
が供給される。配線基板２３はケース２２に取り付けられるメイン基板２３１と、レンズ
ホルダ２１に取り付けられるサブ基板２３２と、メイン基板２３１とサブ基板２３２を接
続するための接続基板２３３とを有している。
【００４５】
トラッキングコイル２１３の導線に電流が流されることで、磁界内に配置される導線に
磁束方向及び電流の流れる方向の両方に直交する方向、すなわち、軸孔２１２の周方向に
ローレンツ力が発生する。軸孔２１２を挟んで配置されるトラッキングコイル２１３で電
流の流れ方向を調整し、ローレンツ力の方向を調整することで、レンズホルダ２１をシャ
フト２２３を中心に回転させることができる。すなわち、電流の流れ方向を適当に変化さ
せることで対物レンズ４をシャフト２２３を中心に揺動させることができる。この揺動に
よって、対物レンズ４の焦点位置を光ディスクＤｓの記録面にそって動かし正しい位置に
レーザスポットを照射するトラッキング動作を行うことができる。
【００４６】
フォーカシングコイル２１４も同様に磁界内に配置される導線に電流が流されることで
、導線に磁束方向及び電流の流れる方向の両方に直交する方向、すなわち、軸孔２１２の
軸方向にローレンツ力が発生する。ローレンツ力によってレンズホルダ２１はシャフト２
２３の軸方向に摺動する。電流の向きを適当に変化させることで、レンズホルダ２１をシ
ャフト２２３の軸方向に往復摺動させることができ、光ディスクＤｓの記録面に焦点を合
わせるためのフォーカシング動作を行うことができる。
【００４７】
図４に本発明にかかる光ヘッドの基板取付部の一例の拡大正面図を、図５に図４に示す
基板取付部の拡大平面図を、図６に図４に示す基板取付部の拡大側面図を示す。図４、図
５及び図６に示すように、基板取付部１４はそれには限定されないが、ここでは、２個の
基板押えフック１４１と２個の基板外れ防止凸部１４２と、１個のボス１４３とを備えて
いる。
【００４８】
図４に示すように２個の基板押えフック１４１はそれぞれ、図中基板取付部１４の左上
部１４Ｌ及び右上部１４Ｒに形成されており、基板外れ防止凸部１４２は中央よりやや下
方に、互いに距離Ｌだけ離れて形成されている。基板押えフック１４１は図中上方向、換
言すると、基板外れ防止凸部１４２が形成されているのと反対方向に屈曲する屈曲部１４
１１と、屈曲部１４１１と基板取付部１４とを接続する脚部１４１２とを有している。基
板外れ防止凸部１４２は、正方形の断面形状を有する直方体である。ボス１４３は２個の
基板押えフック１４１の略中央に配置される微小突起である。
【００４９】
フレキシブル基板５は基板押えフック１４１が貫通する係合孔５１と、基板外れ防止凸
部１４２が貫通する貫通孔５２とを有している。係合孔５１はフレキシブル基板５は基板
押えフック１４１が貫通することができる形状を有している。貫通孔５２はフレキシブル
基板５の係合孔５１に基板押えフック１４１を貫通した状態では、基板外れ防止凸部１４
２が貫通しないようにずれて形成されている。
【００５０】
図４、図６に示すようにフレキシブル基板５は係合孔５１に基板押えフック１４１を貫
通させ、基板押えフック１４１の屈曲部１４１１の屈曲する方向と反対方向に、係合孔５
１の縁部が基板押えフック１４１の脚部１４１２に接触するまで摺動させることで取り付
けられるものである。
【００５１】
上述のとおり、フレキシブル基板５が摺動する前の状態ではフレキシブル基板５の貫通
孔５２と基板取付部１４の基板外れ防止凸部１４２の位置がずれており、基板外れ防止凸
部１４２は貫通孔５２を貫通しない。フレキシブル基板５を摺動させ取り付け状態にする
ことで、貫通孔５２が基板外れ防止凸部１４２と重なる位置になるので、基板外れ防止凸
部１４２が貫通孔５２を貫通し、フレキシブル基板５の基板取付部１４の表面に沿う方向
のがたが発生するのを防止することができる。
【００５２】
ボス１４３が基板押えフック１４１とおなじ方向に突出して設けられているので、フレ
キシブル基板５はボス１４３に接触した状態で両端を押え、中央部が盛り上がった状態で
係合孔５１を基板押えフック１４１が貫通する。フレキシブル基板５は変形することによ
って基板押えフック１４１の屈曲部１４１１の内側にに押さえつけられる。フレキシブル
基板５はボス１４３及び基板押えフック１４１に両側から押えられ、基板取付部１４に垂
直な方向にがたが発生するのを防止することができる。
【００５３】
ボス１４３は基板押えフック１４１の屈曲部１４１１の屈曲方向にわずかにずれている
ものが好ましい。このように、屈曲部１４１側にずれて、ボス３が形成されている場合、
フレキシブル基板５を基板押えフック１４１の屈曲部１４１１により確実に押さえつける
ことができるので、がたの発生の抑制効果を高めることができる。また、基板外れ防止凸
部１４２はボス１４３によるフレキシブル基板５の湾曲の影響がなくなる位置に配置され
ることが好ましい。
【００５４】
図７に本発明にかかる光ヘッドの基板取付部の他の例の拡大正面図を示す。図７に示す
基板取付部１７には基板押えフック１７１が２個取り付けられており、基板押えフック１
７１の屈曲部１７１１は異なる方向に屈曲している。すなわち、図中右側の基板押えフッ
ク１７１の屈曲部１７１１は上方向に、図中左方向の基板押えフック１７１の屈曲部１７
１１は下方向に屈曲している。また、基板外れ防止凸部１７２が２個と、ボス１７３が取
り付けられている。基板押えフック１７１は任意に決定される中心１７０を中心とする同
心円状に配置され、屈曲部１７１１が中心１７０に対して同じ方向に直角に屈曲している
ものである。
【００５５】
フレキシブル基板６は基板押えフック１７１に係合する係合孔６１と、基板外れ防止凸
部１７２が貫通する貫通孔６２とを備えている。フレキシブル基板６は、わずかに傾けた
状態で、係合孔６１が基板押えフック１７１に係合し、基板押えフック１７１の屈曲部１
７１１の屈曲方向と反対方向に、中心１７０を回転中心として回動させる。回動させるこ
とで、基板外れ防止凸部１７２が貫通孔６２を貫通する。このとき、ボス１７３は基板押
えフック１７１の略中間に取り付けられている。ボス１７３を基板押えフック１７１の中
間に取り付けることで、がたを抑えることができる。また、回動することで基板取付部１
７にフレキシブル基板６を取り付けるので、フレキシブル基板６を脱落しにくい状態で、
基板取付部１７に取り付けることができる。
【００５６】
上記各実施例では、基板取付部１４（１７）の基板押えフック１４１（１７１）が２個
、基板外れ防止凸部１４２（１７２）が２個、ボス１４３（１７３）が１個のものを例示
しているが、それに限定されるものではなく、フレキシブル基板を容易に取り付けること
ができるものであり、取り付けられたフレキシブル基板が基板取付部に平行な及び垂直な
方向にがたが出ないものを広く採用することができる。
【００５７】
ボス１４３（１７３）は、上記実施例に示しているように、基板押えフック１４１（１
７１）の略中間に配置されるのが好ましい。複数の基板押えフック１４１（１７１）が形
成されている場合、隣り合う基板押えフック１４１（１７１）の中間に少なくとも１個ず
つ配置されるものが好ましい。また、基板押えフック１４１のように屈曲部１４１１が同
じ方向に屈曲するものの場合、ボス１４３は屈曲部１４１１の屈曲方向にわずかにずれて
配置されるものが好ましい。ずれては位置されることで、フレキシブル基板５を屈曲部１
４１１に効果的に押し付けることができ、ずれや脱落の防止効果を高めることができる。
【００５８】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００５９】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００６０】
【図１】光ヘッドの一例の配置図である。
【図２】本発明に係る光ヘッドの平面図である。
【図３】図２に示す光ヘッドの正面図である。
【図４】本発明にかかる光ヘッドの基板取付部の一例の拡大正面図である。
【図５】図４に示す基板取付部の拡大平面図である。
【図６】図４に示す基板取付部の拡大側面図である。
【図７】本発明にかかる光ヘッドの基板取付部の他の例の拡大正面図である。
【図８】従来の光ヘッドの平面図である。
【符号の説明】
【００６１】
Ｄｓ  光ディスク
Ｍｒ  ミラー
Ｂｓ  ビームスプリッタ
Ｌｄ  レーザ光源
Ｐｄ  受光部
１  ベース
１０  軸
１１  摺動孔
１２  ラックギア
１３  ピニオンギア
１４  基板取付部
２  アクチュエータ
２１  レンズホルダ
２１１  レンズ保持部
２１２  軸孔
２１３  トラッキングコイル
２１４  フォーカシングコイル
２１５  磁性板
２２  ケース
２２１  底部
２２２  立ち上がり部
２２３  シャフト
２２４  永久磁石
２３  配線基板
２３１  メイン基板
２３２  サブ基板
２３３  接続基板
３  コリメータレンズ
４  対物レンズ
５  フレキシブル基板
【図１】
2006172551.tif 000003
【図２】
2006172551.tif 000004
【図３】
2006172551.tif 000005
【図４】
2006172551.tif 000006
【図５】
2006172551.tif 000007
【図６】
2006172551.tif 000008
【図７】
2006172551.tif 000009
【図８】
2006172551.tif 000010